(57)【要約】【課題】  丸軸状のシャフトが圧入されると共にファンと嵌合する樹脂製のキャップを備える送風機において、キャップの割れに対する耐力を増加させることにより、回り止めトルクを増加させる。【解決手段】  キャップ３０において、シャフトが圧入される圧入孔３６の形状をウェルドライン部３８が長軸方向となる楕円形状に形成し、割れに対する強度の低いウェルドライン部３８の圧入代がウェルドライン部３８以外の圧入代よりも小さくなるようにする。従って、シャフト圧入時のウェルドライン部３８にかかる応力を小さくでき、キャップ３０の割れ耐力が増加する。これにより、ウェルドライン部３８以外の圧入代の増加が可能となり、回り止めトルクが増加する。【選択図】        図４
2005054722.tif 000002
【特許請求の範囲】
【請求項１】
駆動手段（２０）によって回転駆動される丸棒状のシャフト（２１）と、
前記シャフト（２１）が圧入され、回転作動により送風を行う樹脂製のファン（１０）と、
前記ファン（１０）と嵌合した状態で前記シャフト（２１）に圧入固定され、前記ファン（１０）の回り止めをしている樹脂製のキャップ（３０）とを備える送風機において、
前記キャップ（３０）は、溶融樹脂を成形型に射出する成型加工によって形成されており、
前記キャップ（３０）において、前記シャフト（２１）が圧入される圧入孔（３６）は、前記成型加工により発生するウェルドライン部（３８）の圧入代が前記ウェルドライン部（３８）以外の圧入代よりも小さくなるように形成されていることを特徴とする送風機。
【請求項２】
駆動手段（２０）によって回転駆動される丸棒状のシャフト（２１）と、
前記シャフト（２１）が圧入され、回転作動により送風を行う樹脂製のファン（１０）と、
前記ファン（１０）と嵌合した状態で前記シャフト（２１）に圧入固定され、前記ファン（１０）の回り止めをしている樹脂製のキャップ（３０）とを備える送風機において、
前記キャップ（３０）は、溶融樹脂を成形型に射出する成型加工によって形成されており、
前記キャップ（３０）において、前記シャフト（２１）が圧入される圧入孔（３６）は、前記成型加工により発生するウェルドライン部（３８）において前記シャフト（２１）の外周面と隙間を持つように形成されていることを特徴とする送風機。
【請求項３】
前記圧入孔（３６）は、前記ウェルドライン部（３８）が長軸方向となる楕円形状に形成されていることを特徴とする請求項１または２に記載の送風機。
【請求項４】
前記圧入孔（３６）の長軸の寸法（Ｌ３）は、前記シャフト（２１）の直径寸法に対して９６．６％〜１０１．５％であり、
前記圧入孔（３６）の短軸の寸法（Ｌ４）は、前記シャフト（２１）の直径寸法に対して９１．８％〜９６．０％であることを特徴とする請求項３に記載の送風機。
【請求項５】
前記圧入孔（３６）は略円形状に形成されており、
前記圧入孔（３６）の内周面のうち、前記ウェルドライン部（３８）に対応する部位に前記内周面から径外方向へ窪んでいる窪み部（３６ｂ）を配置したことを特徴とする請求項１または２に記載の送風機。
【請求項６】
前記圧入孔（３６）の前記内周面のうち、前記窪み部（３６ｂ）から１８０度ずれた部位に前記内周面から径外方向へ窪んでいる対向窪み部（３６ｃ）を配置したことを特徴とする請求項５に記載の送風機。
【発明の詳細な説明】
【技術分野】
【０００１】
本発明は、樹脂製のファンを有する送風機に関し、特にファンと回転軸との固定構造に関する。
【背景技術】
【０００２】
本出願人は、先に特願２００２−１０９３０４号の特許出願において、樹脂製のファンおよびキャップに丸棒形状の回転軸であるシャフトを圧入し、キャップによりファンがシャフトに対して空転するのを防止する、すなわち回り止めを行っている送風機を提案している。  この先願の送風機は、図２に示すように駆動手段によって回転駆動される丸棒形状のシャフト２１と、回転作動により回転中心軸Ｃ方向から吸入した空気を径外方側に送風するファン１０を備えている。ファン１０には、略円筒形状のファンボス部１１と、ファンボス部１１と一体に成形された翼（ブレード）１２が備えられており、ファンボス部１１にはシャフト２１が圧入される。
【０００３】
ところが、ファン１０は送風時の応力による割れやコストなどを考慮して、ポリプロピレン等の適度の弾性を持った熱可塑性樹脂を材料としているが、ポリプロピレンはクリープ特性による特性劣化や経時劣化等を起こす場合があり、ファン１０のみのシャフト２１への圧入固定では回り止めトルクが大幅に低減してしまうことがある。なお、回り止めトルクとはシャフト２１への固定力を意味している。
【０００４】
そこで、本出願人は先願の特許出願において、材料の劣化が少ないファン１０よりも固い樹脂で形成したキャップ３０をファン１０に嵌合させ、嵌合状態のファン１０とキャップ３０にシャフト２１を圧入固定することでキャップ３０がファン１０の回り止めをする送風機を提案した。
【０００５】
このキャップは、図８に示すようにシャフト２１が圧入される圧入孔３６を有する略円筒状のキャップボス部３１と、凸部である脚部３４とを備えている。この脚部３４とファンボス部１１に配置された凹部１３が回転方向に対して嵌合することで、キャップ３０とファン１０は一体となる。
【０００６】
そして、シャフト２１が嵌合状態のファン１０およびキャップ３０、より具体的にはファン１０のファンボス部１１およびキャップ３０の圧入孔３６に圧入固定されると、シャフト２１の回転トルクがファン１０およびキャップ３０に伝わる。同時に、キャップ３０はその回り止めトルクにより、嵌合しているファン１０の回り止めをする。
【０００７】
なお、キャップ３０の材料は、具体的にはポリアミドのガラス強化材等の引っ張り強度の高い樹脂である。これにより、キャップ３０とシャフト２１との接触面圧を十分高くして回り止めトルクを増やし、より大きな回転力をファン１０に伝達することができる。
【０００８】
ところで、キャップ３０の圧入孔３６は真円形状に形成されており、この圧入孔３６の内径寸法はシャフト２１の外径寸法との嵌め合いを考慮して設定されている（図８参照）。当然にキャップ３０の圧入孔３６の圧入代を大きくすると回り止めトルクを大きくすることができるが、その反面、圧入代が大きすぎると圧入荷重の増大によりキャップ３０に割れが生じてしまう。ここで、圧入代とは圧入孔３６の内径寸法とシャフト２１の外径寸法との差であり、言い換えるとシャフト２１の圧入時に圧入孔３６が押し拡げられる寸法を意味している。
【０００９】
従って、圧入孔３６の内径寸法は、回り止めトルクを確保しつつキャップ３０に割れが生じないような寸法に設定されている。これにより、キャップ３０は割れを生じずに回り止めトルクを確保でき、キャップ３０と嵌合しているファン１０がシャフト２１に対して空転するのを防止することができる。
【発明の開示】
【発明が解決しようとする課題】
【００１０】
ところで、キャップ３０は溶融状態の樹脂を注入口（ゲート）から型締めされた金型内のキャビティ（キャップ３０の形状をした空間）に射出することにより成型加工される。
【００１１】
このとき、ゲートからキャビティ内に射出される溶融状態の樹脂は、金型の凸部（成型品の凹部、例えば空洞部３３、圧入孔３６等）で分岐しながらキャビティ内を流れ、最終的にゲートの反対側で合流する。  以下、キャップ３０において、樹脂の注入部をゲート部３７、樹脂の合流部をウェルドライン部３８、樹脂の合流部に現れる細い線をウェルドラインと称す。
【００１２】
このウェルドラインは、キャビティ内を流れて温度が低下した樹脂が合流することにより発生している。そのため、ウェルドライン部３８では樹脂同士の結合（ガラス繊維入りの場合は繊維の絡み合い）が弱く、機械強度が低下し易い。
【００１３】
従って、回り止めトルクを上げるために、シャフト２１に対するキャップ３０の圧入代を大きくすると強度が低いウェルドライン部３８を起点に亀裂が発生することが本発明者らの評価で分かった。
【００１４】
本発明は、上記点に鑑み、樹脂にて型成形されたキャップによりファンをシャフトに固定する送風機において、キャップの割れに対する耐力を増加させることにより、回り止めトルクを増加させることを目的とする。
【課題を解決するための手段】
【００１５】
上記目的を達成するため、請求項１に記載の発明では、駆動手段（２０）によって回転駆動される丸棒状のシャフト（２１）と、シャフト（２１）が圧入された樹脂製のファン（１０）と、シャフト（２１）が圧入され、回転作動により送風を行う樹脂製のファン（１０）と、ファン（１０）と嵌合した状態でシャフト（２１）に圧入固定され、ファン（１０）の回り止めをしている樹脂製のキャップ（３０）とを備える送風機において、
キャップ（３０）は、溶融状態の熱可塑性樹脂を成形型に射出する成型加工によって形成されており、
キャップ（３０）において、シャフト（２１）が圧入される圧入孔（３６）は、成型加工により発生するウェルドライン部（３８）の圧入代がウェルドライン部（３８）以外の圧入代よりも小さくなるように形成されている送風機を特徴としている。
【００１６】
これによると、圧入孔（３６）はウェルドライン部（３８）以外の強度の高い部分の圧入代が大きくなるように形成され、一方、強度の低いウェルドライン部（３８）の圧入代が小さくなるように形成されている。このため、シャフト（２１）の圧入によりウェルドライン部（３８）にかかる応力が小さくなる。
【００１７】
従って、シャフト（２１）の圧入時の応力によるウェルドライン部（３８）からの割れを防止することができる。換言すると、シャフト（２１）の圧入時の応力に対するキャップ（３０）の割れ耐力を増加させることができる。
【００１８】
さらに、ウェルドライン部（３８）以外では、より大きな回り止めトルクを発生するために圧入孔（３６）のシャフト（２１）に対する圧入代を大きくでき、圧入孔（３６）が真円形状の先願のキャップに比して回り止めトルクを増加させることができる。
【００１９】
また、請求項２に記載の発明では、駆動手段（２０）によって回転駆動される丸棒状のシャフト（２１）と、シャフト（２１）が圧入され、回転作動により送風を行う樹脂製のファン（１０）と、ファン（１０）と嵌合した状態でシャフト（２１）に圧入固定され、ファン（１０）の回り止めをしている樹脂製のキャップ（３０）とを備える送風機において、
キャップ（３０）は、溶融状態の熱可塑性樹脂を成形型に射出する成型加工によって形成されており、
キャップ（３０）において、シャフト（２１）が圧入される圧入孔（３６）は、成型加工により発生するウェルドライン部（３８）でシャフト（２１）の外周面と隙間を持つように形成されている送風機を特徴としている。
【００２０】
これによると、キャップ（３０）の圧入孔（３６）の内周面のうち、強度の低いウェルドライン部（３８）はシャフト（２１）の圧入による圧縮応力を受けない。従って、ウェルドライン部（３８）にかかるシャフト（２１）の圧入時の応力が小さくなり、応力にキャップ（３０）の割れ耐力を増加させることができる。
【００２１】
これによっても、より大きな回り止めトルクを発生するためにウェルドライン部（３８）以外の圧入孔（３６）のシャフト（２１）に対する圧入代を大きくでき、圧入孔（３６）が真円形状の先願のキャップに比して回り止めトルクを増加させることができる。
【００２２】
また、請求項３に記載の発明のように、請求項１または２において、圧入孔（３６）をウェルドライン部（３８）が長軸方向となる楕円形状に形成し、長軸方向、つまりウェルドライン部（３８）のシャフト（２１）に対する圧入代を短軸方向の圧入代よりも小さくして、請求項１で述べた理由と同様にキャップ（３０）の回り止めトルクを増加させてもよい。
【００２３】
なお、圧入孔（３６）の楕円形状によってはウェルドライン部（３８）の圧入代がゼロ以下となり、圧入孔（３６）の内周面とシャフト（２１）の外周面との間に隙間ができる場合もある。この場合は、請求項２で述べた理由により、キャップ（３０）の回り止めトルクを増加させることができる。
【００２４】
また、請求項４に記載の発明のように、請求項３において、圧入孔（３６）の楕円形状の長軸の寸法（Ｌ３）をシャフト（２１）の直径寸法に対して９６．６％〜１０１．５％とし、短軸の寸法（Ｌ４）はシャフト（２１）の直径寸法に対して９１．８％〜９６．０％とすれば、キャップ（３０）の割れ耐力および回り止めトルクの増加を最適な領域で両立することができる。
【００２５】
また、請求項５に記載の発明のように、請求項１または２において、圧入孔（３６）は略円形状に形成されており、圧入孔（３６）の内周面のうち、ウェルドライン部（３８）に対応する部位に内周面から径外方向へ窪んでいる窪み部（３６ｂ）を配置して、請求項２と同様の理由によりキャップ（３０）の割れに対する耐力および回り止めトルクを増加させてもよい。
【００２６】
また、請求項６に記載の発明のように、請求項５において、圧入孔（３６）の内周面のうち、窪み部（３６ｂ）から１８０度ずれた部位に内周面から径外方向へ窪んでいる対向窪み部（３６ｃ）を配置して、より効果的にキャップ（３０）の割れに対する耐力を増加させることにより、回り止めトルクを増加させてもよい。
【００２７】
なお、上記各手段の括弧内の符号は、後述する実施形態に記載の具体的手段との対応関係を示すものである。
【発明を実施するための最良の形態】
【００２８】
（第１実施形態）
本実施形態は、本発明に係る送風機を車両用空調装置の遠心式送風機に適用したものであって、図１は本実施形態に係る遠心式送風機（以下、送風機という）の断面図である。
【００２９】
送風機は、図１に示すように回転軸の軸Ｃ方向から吸入した空気を径外方側に向けて吹き出す遠心式多翼ファン（以下、ファンという）１０と、ファン１０を回転駆動する手段である電動モータ２０と、電動モータ２０の回転力をファン１０に伝達するキャップ３０とで構成されている。
【００３０】
電動モータ２０には、この電動モータ２０により回転駆動される丸棒形状の駆動シャフト（以下、シャフトという）２１が備えられており、本実施形態ではシャフト２１は、金属製（例えばＳ４５Ｃ）で軸の直径（以下、軸径と称す）が８ｍｍのものを使用している。
【００３１】
ファン１０には、シャフト２１が圧入される略円筒状のファンボス部１１と、ファンボス部１１と一体成形される複数枚の翼（ブレード）１２が備えられている。ファンボス部１１の内径はシャフト２１の軸径よりも小さく形成されているため、シャフト２１とファンボス部１１は圧入状態となって一体に回転し、一体成形されるファンボス部１１とブレード１２は当然に一体に回転する。つまり、シャフト２１とブレード１２は一体に回転している。なお、ファンボス部１１およびブレード１２は、ポリプロピレン等の適度の弾性を持った熱可塑性樹脂にて成形されている。
【００３２】
図２は図１のファンボス部１１およびキャップ３０とシャフト２１との嵌合部分、図３は図２中のＡ−Ａ断面図を示している。ファンボス部１１においてその外周側かつキャップ３０側の部位には、キャップ３０の脚部３４（詳細後述）が嵌合する４つの凹部１３と、凹部１３間に位置する４つの凸部１４とを備え、これらの凹部１３および凸部１４は周方向に沿って交互かつ等間隔に配置されている。
【００３３】
また、各凹部１３の表面のうちシャフト２１に近い側かつ径方向外側に向いている面、すなわち各凹部１３の底部１５には、先端部が脚部３４の内周面に密着する突起部１６が１つずつ形成されている。この突起部１６は、底部１５から径外方向、つまり嵌合する脚部３４側に向かって突出する断面三角形状をしており、その頂部を連ねた尾根部はシャフト２１と平行な方向に延びている。
【００３４】
そして、シャフト２１を挟んで位置する２つの突起部１６の先端部間の寸法Ｌ２は、シャフト２１を挟んで対向する２つの脚部３４間の寸法Ｌ１よりも大きくなっている（図２参照）。なお、ここでいう寸法Ｌ２はファン１０とキャップ３０とを組み付ける前の時点での寸法である。
【００３５】
ところで、キャップ３０は、キャップ３０は溶融状態の樹脂を注入口（ゲート）から型締めされた金型内のキャビティ（キャップ３０の形状をした空間）に射出することにより成型加工される。キャップ３０の材料には、ファン１０よりも固い樹脂を使用しており、より具体的には、例えばポリアミドのガラス強化材のように引っ張り強度の高い樹脂を使用している。
【００３６】
図４はキャップ３０を単体で図２中のＢ方向から示した図であり、キャップ３０にはシャフト２１が圧入される圧入孔３６を有する略円筒状のキャップボス部３１が備えられている。このキャップボス部３１の外側には外筒部３２が配置され、キャップボス部３１と外筒部３２をキャップボス部３１から等間隔で放射状に延びる複数（本実施形態では、１２本）のリブ３５で繋いでいる。
【００３７】
このリブ３５の間には、シャフト２１の中心軸Ｃ方向に延びてファンボス部１１側の端面で開口する１２個の空洞部３３が形成されており、これらの空洞部３３もリブ３５と同様に周方向に沿って等間隔に配置されている。
【００３８】
ここで、リブ３５とキャップボス部３１との接合箇所の丸取り部およびリブ３５と外筒部３２との接合箇所の丸取り部のうち、樹脂成形時に発生したウェルドライン部３８の丸取り部３９の曲率半径を、その他の接合箇所の丸取り部の曲率半径より大きくして、ウェルドライン部３８の丸取り部３９の肉厚をその他の丸取り部より厚くしている。なお、キャップ３０には外筒部３２からファンボス１１側に向かって延び、ファンボス部１１の凹部１３に嵌合する４つの脚部３４が配置されている。
【００３９】
また、圧入孔３６はウェルドライン部３８が長軸方向となる楕円形状に形成されている。より具体的には、長軸の寸法（Ｌ３）が７．７３ｍｍ〜８．１２ｍｍ、短軸の寸法（Ｌ４）が７．３５ｍｍ〜７．６８ｍｍとなる楕円形状である。前述したシャフト２１の軸径は８ｍｍなので、長軸方向の圧入代は−０．１２ｍｍ〜０．２７ｍｍ、短軸方向の圧入代は０．３２ｍｍ〜０．６５ｍｍとなる。ここで、長軸方向の圧入代がマイナスというのは、シャフト２１の外周面と圧入孔３６との間に隙間が開くことを意味している。
【００４０】
なお、図中の符号３６ａは、キャップボス部３１の圧入孔３６のファン１０側端部に形成されたテーパ面（面取り部）を示しており、この面取り部３６ａにより圧入時にシャフト２１を圧入孔３６へ案内している。  次に、ファン１０の組み付け手順を述べる。まず、ファン１０にキャップ３０を嵌め込んでファン１０とキャップ３０とを仮固定する。つまり、ファン１０の一部である突起部１６が、キャップ３０の一部である脚部３４より軟らかく、かつ、Ｌ２＞Ｌ１となっているので、脚部３４を凹部１３に嵌合させると、突起部１６の各先端部が塑性変形する。
【００４１】
この仮固定後、ファン１０とキャップ３０にシャフト２１が圧入される。圧入により、シャフト２１からの回転力は、直接ファン１０に伝達される。さらに、脚部３４との凹部１３の嵌合により、凹部１３の突起部１６と脚部３４が密着している面と、脚部３４の回転方向（図３中矢印ａ）の面３４ａとファンボス部１１の凹部１３の回転方向ａの面１３ａ（別の表現では、ファンボス部１１の凸部１４の回転方向ａとは逆側の面）の接触面とを介してシャフト２１の回転力がファン１０に伝達される。
【００４２】
なお、シャフト２１からの回転力は、主にキャップ３０を介してファン１０に伝達されるが、本実施形態ではファン１０にもシャフト２１が圧入されるため、シャフト２１から直接的にファン１０に伝達される回転力も存在する。
【００４３】
以上の構成により、電動モータ２０がシャフト２１を回転駆動すると、シャフト２１が圧入されたファン１０およびキャップ３０がシャフト２１と一体に回転する。
【００４４】
次に、第１実施形態による作用効果を列挙すると、（１）圧入孔３６がウェルドライン部３８を長軸方向とする楕円で形成されるため、強度の低いウェルドライン部３８の圧入代をウェルドライン部３８以外の圧入代よりも小さくできる。これにより、大きな回り止めトルクを発生するためにウェルドライン部３８以外のシャフト２１に対する圧入代を大きくできる。
【００４５】
ところで、前述のように図８に示す圧入孔３６が円形状の先願のキャップ３０において、回り止めトルクを上げるために、シャフト２１に対するキャップ３０の圧入代を大きくすると強度が低いウェルドライン部３８を起点に割れが発生する。
【００４６】
そこで、本発明者らは図９に示すキャップについて比較検討した。このキャップ３０は割れ防止のための割れ防止窪み部５０を圧入孔３６の内周面に配置している。割れ防止窪み部５０は、圧入孔３６の内周面のうちリブ３５に対応する部分に配置され、内周面から径外方向へ窪む形状である。
【００４７】
この割れ防止窪み部５０により、シャフト２１圧入時には圧入孔３６の内周面のうち、主に割れ防止窪み部５０以外の面が圧縮応力を受けることとなる。この応力により圧入孔３６の材料は、割れ防止窪み部５０に逃げるように変形することとなるので、圧入代の増大に伴う圧入荷重の増大の割合を小さくできる。つまり、キャップ３０のシャフト２１圧入時の応力による割れに対する耐力を増加させている。
【００４８】
しかし、割れに対する耐力は増加するが圧入孔３６の内周面とシャフト２１の接触面積が減少してしまい、回り止めトルクが減少してしまうという問題が発生した。
【００４９】
そこで、本実施形態では圧入孔３６をウェルドライン部３８が長軸方向となる楕円形状で、長軸の寸法（Ｌ３）が７．７３ｍｍ（シャフト軸径の９６．６％、以下同じ）〜８．１２ｍｍ（１０１．５％）、短軸の寸法（Ｌ４）が７．３５ｍｍ（９１．８％）〜７．６８ｍｍ（９６．０％）となるように形成した。
【００５０】
これにより、圧入孔３６はウェルドライン部３８以外の強度の高い部分の圧入代が大きくなるように形成され、一方、強度の低いウェルドライン部３８の圧入代が小さく、またはシャフト２１の外周面と隙間を持つように形成される。このため、シャフト２１圧入時にウェルドライン部３８にかかる応力が小さくなる。
【００５１】
従って、シャフト２１の圧入時の応力によるウェルドライン部３８からの割れを防止することができる。換言すると、シャフト２１の圧入時の応力に対するキャップ３０の割れ耐力が増加する。
【００５２】
さらに、ウェルドライン部３８以外では、より大きな回り止めトルクを発生するために圧入孔３６のシャフト２１に対する圧入代を大きくでき、圧入孔３６が真円形状の先願のキャップに比して回り止めトルクを増加させることができる。
【００５３】
ここで、図５に先願のキャップ（図８）および本実施形態のキャップ３０の圧入代と回り止めトルクの関係のプロット図を示す。図中丸印は本実施形態のキャップ３０のデータであり、四角印は先願のキャップ３０のデータである。圧入代が同等の場合において、本実施形態のキャップ３０は先願形状のものに比べて回り止めトルクが大きくなっている。
【００５４】
また、シャフト２１圧入による割れについても、本実施形態のキャップの方が先願のキャップに比べて、より大きな圧入代まで割れが発生していない。これより、割れに対する耐力も本実施形態のものが優れていると言える。
【００５５】
（２）単純形状である丸棒状のシャフト２１を使用しているため、シャフト２１の加工コストを低くできるとともに軸Ｃに対しての重量バランスが均等となり、振動、騒音を低減できる。
【００５６】
従来、シャフト２１を断面Ｄ形状に切削加工してファン１０のＤ形状の圧入孔に圧入し、さらにクランプを用いて固定して回り止めとする構造の送風機があるが、本実施形態では、シャフト２１を丸棒状に形成することにより、Ｄ形状における切削加工を廃止してコストダウンを図ると共に、シャフト２１の軸Ｃに対する重量バランスを均等にして振動、騒音の低減を図っている。
【００５７】
（３）回転力をファン１０に伝達するキャップ３０を、ファン１０よりも固い樹脂にて形成しているため、キャップ３０とシャフト２１との接触面圧を十分高くして圧入強度を高めることができる。
【００５８】
そのため、樹脂にてキャップ３０を形成しても十分な回り止めトルクを確保し、大きな回転力をシャフト２１からファン１０に伝達することができる。従って、安い樹脂の使用により低コスト化を図ることができる。
【００５９】
（４）キャップ３０に空洞部３３を設けたことにより、樹脂成型加工時の問題であるひけを防止できる。これにより、キャップ３０の強度が高くなり、キャップ３０とシャフト２１との接触面圧を十分高くして圧入強度を高めることができ、回り止めトルクをさらにアップさせることができる。
【００６０】
（５）シャフト２１を挟んで位置する２つの突起部１６の先端部間の寸法Ｌ２を、シャフト２１を挟んで対向する２つの脚部３４間の寸法Ｌ１よりも大きくし、突起部１６の各先端部を変形させて脚部３４に密着させるようにしているため、厳しい寸法精度を設定することなく、ファン１０とキャップ３０とを仮固定することができる。これにより、ファン１０とキャップ３０とを仮固定した状態でシャフト２１を圧入することにより、シャフト２１の圧入工程を１回で済ませることができる。
【００６１】
（６）ウェルドライン部３８の丸取り部３９の曲率半径を、その他の接合箇所の丸取り部の曲率半径より大きくして、ウェルドライン部３８の丸取り部３９の肉厚をその他の丸取り部より厚くしているので、ウェルドライン部分の肉厚がその他の部位より厚くなる。      
【００６２】
これにより、樹脂の結合強度が低くなり易いウェルドライン部３８の強度を高めることができるので、キャップ３０の強度を高めることができる。従って、キャップ３０の圧入代を大きくすることができるので、キャップ３０の固定力（回り止めトルク）を高めることができる。
【００６３】
（第２実施形態）
図６に示す第２実施形態のキャップ３０では、第１実施形態において楕円形状に形成された圧入孔３６を円形状に形成し、圧入孔３６の内周面のうちウェルドライン部３８に対応する部位に内周面から径外方向に窪んでいる窪み部３６ｂを配置している。
【００６４】
これによると、強度の低いウェルドライン部３８に配置された窪み部３６ｂは、シャフト２１の外周面に接していないためシャフト２１の圧入による圧縮応力を受けない。従って、ウェルドライン部３８にかかるシャフト２１の圧入時の応力が小さくなり、応力によるキャップ３０の割れ耐力を増加させることができる。
【００６５】
従って、より大きな回り止めトルクを発生するために圧入孔３６のシャフト２１に対する圧入代を大きくでき、圧入孔３６が真円形状の先願のキャップに比して回り止めトルクを増加させることができる。
【００６６】
なお、第２実施形態においても当然に第１実施形態で述べた（２）〜（６）の作用効果を発揮できる。
【００６７】
（第３実施形態）
図７に示す第３実施形態のキャップ３０の圧入孔３６の内周面には、第２実施形態の窪み部３６ｂに加えて、窪み部３６ｂに対向する部位に対向窪み部３６ｃを配置している。
【００６８】
これによると、強度の低いウェルドライン部３８に配置された窪み部３６ｂと対向窪み部３６ｃは、シャフト２１の外周面に接していないためシャフト２１の圧入による圧縮応力を受けない。
【００６９】
従って、第２実施形態よりもキャップ３０の割れ耐力を大きくでき、圧入孔３６のシャフト２１に対する圧入代も大きくできるため、より回り止めトルクを増加させることができる。
【００７０】
なお、第３実施形態においても当然に第１実施形態で述べた（２）〜（６）の作用効果を発揮できる。
【００７１】
（他の実施形態）
上述の実施形態では、シャフト２１の軸径が８ｍｍの例を示したが、シャフト２１の軸径は８ｍｍに限られるものではなく、大小様々に変更可能である。当然にキャップ３０の圧入孔３６も、シャフト２１の軸径に対応した寸法に様々に変更可能である。
【００７２】
また、第１実施形態では、ゲート部３７が１つの例を示したが、特にシャフト２１の軸径が大きく、それに伴ってキャップ３０が大きくなる場合には、ゲート部３７をキャップ３０において、対向する２ヶ所、または複数ヶ所に設けてもよい。
【００７３】
また、第２、第３実施形態でもゲート部３７が１つの例を示したが、特にシャフト２１の軸径が大きく、それに伴ってキャップ３０が大きくなる場合には、ゲート部３７が複数であってもよい。
【００７４】
また、上述の実施形態では、ファン１０にシャフト２１を圧入する例を示したが、シャフト２１からの回転力は主としてキャップ３０を介してファン１０に伝達されるので、ファン１０にシャフト２１を中間ばめまたは接触面圧が略０となるように挿入してもよい。
【００７５】
また、上述の実施形態では、ファン１０の材料にはポリプロピレン、キャップ３０の材料にはポリアミドのガラス強化材を使用した例を示したが、ファン１０およびキャップ３０の材料は上述の材料に限定されるものでない。  また、上述の実施形態では、ウェルドライン部３８の丸取り部のうちリブ３５とキャップボス部３１との接合箇所の丸取り部３９の曲率半径をその他の丸取り部より大きくしたが、これに限定されるものではなく、リブ３５と外筒部３２との接合箇所の丸取り部４０の曲率半径をその他の丸取り部より大きくしてもよい。
【図面の簡単な説明】
【００７６】
【図１】本発明の第１実施形態に係る送風機の断面図である。
【図２】図１の送風機の要部を示す拡大図であり、先願技術の説明にも用いた図である。
【図３】図２のＡ−Ａ断面図である。
【図４】図３のキャップを単体で示す図であり、図２のＢ視下面図である。
【図５】先願技術に係るキャップおよび本実施形態に係るキャップの圧入試験結果を示すプロット図である。
【図６】本発明の第２実施形態のキャップを示す下面図である。
【図７】本発明の第３実施形態のキャップを示す下面図である。
【図８】先願技術のキャップを示す下面図である。
【図９】比較例のキャップを示す下面図である。
【符号の説明】
【００７７】
１０…ファン、２０…電動モータ（駆動手段）、２１…シャフト、３０…キャップ、
３６…圧入孔、３６ｂ…窪み部、３６ｃ…対向窪み部、３８…ウェルドライン部、
Ｌ３…長軸寸法、Ｌ４…短軸寸法。
【図１】
2005054722.tif 000003
【図２】
2005054722.tif 000004
【図３】
2005054722.tif 000005
【図４】
2005054722.tif 000006
【図５】
2005054722.tif 000007
【図６】
2005054722.tif 000008
【図７】
2005054722.tif 000009
【図８】
2005054722.tif 000010
【図９】
2005054722.tif 000011